(57)【要約】【課題】  天板中央に支柱を立設したり、取付金具等を用いたりすることなく、仕切板を天板上に平面視十字状に立設する。【解決手段】  天板２の上面の外端部に４本の支柱４を立設し、互いに対向する支柱４の上端部同士を、４個の連結杆７と、それらの対向面間に設けた中間連結部材８とにより、十字形をなすように連結するとともに、互いに直交する連結杆７及び中間連結部材８の下面と、天板２の上面との間に、中央部において互いに直交状に連結された２板の仕切板２３，２３を立設する。【選択図】  図１
2005131197.tif 000002
【特許請求の範囲】
【請求項１】
天板の上面の外端部に、４本の支柱を円周方向に等間隔おきに立設し、互いに対向する支柱の上端部同士を、４個の水平な連結杆と、それらの対向面間に設けた中間連結部材とにより平面視十字形をなすように連結するとともに、互いに直交する連結杆及び中間連結部材の下面と、前記天板の上面との間に、中央部において互いに直交状に連結された２枚の仕切板を、それらの両側端が前記互いに対向する支柱の内面と当接又は近接するようにして立設したことを特徴とするテーブルの天板上への仕切板の取付構造。
【請求項２】
両仕切板の交差部に、上下いずれか一方の端面から中央部に至るスリット状の凹溝を設け、該凹溝同士を互いに嵌合することにより、両仕切板を直交状に連結した請求項１に記載のテーブルの天板上への仕切板の取付構造。
【請求項３】
各連結杆の下面に、下方が開口する嵌合溝を長手方向に沿って設けるとともに、該嵌合溝と対向する天板の上面に凹溝を形成し、これらの嵌合溝と凹溝とに、仕切板の上端部と下端部を嵌合した請求項１または２に記載のテーブルの天板上への仕切板の取付構造。
【請求項４】
中間連結部材の下面に、各連結杆の嵌合溝と連続する十字状溝を設け、該十字状溝に、両仕切板の交差部の上端部を嵌合した請求項３に記載のテーブルの天板上への仕切板の取付構造。
【請求項５】
中間連結部材が、直方体状をなす基体の各側面の中央に、取付片を、平面視十字状をなすように突設したものよりなり、前記取付片に、各連結杆の側端部に形成した係合孔を嵌合することにより、各連結杆を十字形に連結した請求項１ないし４のいずれかに記載のテーブルの天板上への仕切板の取付構造。
【請求項６】
取付片と連結杆とをねじにより固定した請求項５に記載のテーブルの天板上への仕切板の取付構造。
【請求項７】
仕切板を透光性パネルにより形成した請求項１ないし６のいずれかに記載のテーブルの天板上への仕切板の取付構造。
【発明の詳細な説明】
【技術分野】
【０００１】
本発明は、例えば円形テーブルの天板上に、仕切板を、平面視十字形をなすように立設する際の取付構造に関する。
【背景技術】
【０００２】
円形をなすテーブルの天板面を、４個の均等な作業エリアが形成されるように仕切るには、４枚の仕切板を平面視十字形をなすように互いに連結して天板上に立設するのが一般的である。
この際、各仕切板を安定して立設するために、天板の中央に支柱を立設し、この支柱に各仕切板の内端を取付けるとともに、各仕切板の下端部を、例えば特許文献１又は特許文献２に記載されているように、取付片や取付金具を用いて天板面に固定するのが殆どである。
【０００３】
【特許文献１】特開平１１−１５５６４８号公報
【特許文献２】特許第２６３０９００公報
【発明の開示】
【発明が解決しようとする課題】
【０００４】
上記従来のような仕切板の取付構造では、天板の中央に立設された支柱が露出するとともに、取付片や取付金具も天板上に露出するため、外観的に体裁が悪い。
また、支柱や取付片、取付金具が障害となって、仕切られた天板面を有効に使用出来ないという問題もある。
さらに、各仕切板に、取付片を取付けるためのねじ孔や取付孔等を設ける必要があるため、仕切板の製作工数が増える。
【０００５】
本発明は、上記問題点を解決するためになされたもので、天板中央に支柱を立設したり、取付金具等を用いたり、それを取付けるための加工を仕切板に施したりすることなく、仕切板を、平面視十字形をなすように簡単に、かつ安定して立設し得るようにしたテーブルの天板上への仕切板の取付構造を提供することを目的としている。
【課題を解決するための手段】
【０００６】
上記課題を解決するために、本発明の請求項１に記載のテーブルの天板上への仕切板の取付構造は、天板の上面の外端部に、４本の支柱を円周方向に等間隔おきに立設し、互いに対向する支柱の上端部同士を、４個の水平な連結杆と、それらの対向面間に設けた中間連結部材とにより平面視十字形をなすように連結するとともに、互いに直交する連結杆及び中間連結部材の下面と、前記天板の上面との間に、中央部において互いに直交状に連結された２枚の仕切板を、それらの両側端が前記互いに対向する支柱の内面と当接又は近接するようにして立設したことを特徴としている。
この特徴によれば、天板中央に支柱を立設したり、取付金具等により固定したりすることなく、仕切板を、平面視十字形をなすように天板上に簡単かつ安定して立設することができる。
その結果、天板面に支柱や取付金具が露出しないため、体裁が向上するとともに、仕切られた天板面を有効に使用することができる。
また、仕切板には取付孔等を設ける必要がないので、その製作工数が減り、コスト低減が可能となる。
【０００７】
本発明の請求項２に記載のテーブルの天板上への仕切板の取付構造は、請求項１に記載のテーブルの天板上への仕切板の取付構造であって、両仕切板の交差部に、上下いずれか一方の端面から中央部に至るスリット状の凹溝を設け、該凹溝同士を互いに嵌合することにより、両仕切板を直交状に連結したことを特徴としている。
この特徴によれば、両仕切板を直交状に簡単に連結することができる。
【０００８】
本発明の請求項３に記載のテーブルの天板上への仕切板の取付構造は、請求項１または２に記載のテーブルの天板上への仕切板の取付構造であって、各連結杆の下面に、下方が開口する嵌合溝を長手方向に沿って設けるとともに、該嵌合溝と対向する天板の上面に凹溝を形成し、これらの嵌合溝と凹溝とに、仕切板の上端部と下端部を嵌合したことを特徴としている。
この特徴によれば、仕切板の上下の端部が連結杆の嵌合溝と天板の凹溝により保持されているので、厚さ方向に位置ずれする恐れはなく、天板上により安定して立設することができる。
【０００９】
本発明の請求項４に記載のテーブルの天板上への仕切板の取付構造は、請求項３に記載のテーブルの天板上への仕切板の取付構造であって、中間連結部材の下面に、各連結杆の嵌合溝と連続する十字状溝を設け、該十字状溝に、両仕切板の交差部の上端部を嵌合したことを特徴としている。
この特徴によれば、両仕切板における交差部の上端部も、中間連結部材の十字状溝により保持されるので、仕切板の厚さが薄くても、その上端部全体が安定して保持される。
【００１０】
本発明の請求項５に記載のテーブルの天板上への仕切板の取付構造は、請求項１ないし４のいずれかに記載のテーブルの天板上への仕切板の取付構造であって、中間連結部材が、直方体状をなす基体の各側面の中央に、取付片を、平面視十字状をなすように突設したものよりなり、前記取付片に、各連結杆の側端部に形成した係合孔を嵌合することにより、各連結杆を十字形に連結したことを特徴としている。
この特徴によれば、各連結杆の対向端を、中間連結部材により極めて簡単に連結することができる。
【００１１】
本発明の請求項６に記載のテーブルの天板上への仕切板の取付構造は、請求項５に記載のテーブルの天板上への仕切板の取付構造であって、取付片と連結杆とをねじにより固定したことを特徴としている。
この特徴によれば、各連結杆同士の連結強度が大となるとともに、各連結杆を、中間連結部材により予め十字形に連結してから支柱に組付け得るので、作業性が向上する。
【００１２】
本発明の請求項７に記載のテーブルの天板上への仕切板の取付構造は、請求項１ないし６のいずれかに記載のテーブルの天板上への仕切板の取付構造であって、仕切板を透光性パネルにより形成したことを特徴としている。
この特徴によれば、仕切板を透過した光りにより天板面が明るくなるので、天板面が４個に仕切られても、圧迫感や暗さが解消される。
【発明を実施するための最良の形態】
【００１３】
以下、本発明の実施形態を図面に基づいて説明する。
【００１４】
図１は、本発明を適用したテーブル（机も含む）の斜視図で、テーブル１の天板２は円形をなし、その下面の外周端部に等間隔おきに取付けられた４本の脚柱３により支持されている。また、天板２の上面の外周端部には、４本の支柱４が、天板２の下方より挿入したねじ（図示略）により、円周方向に等間隔おきに、かつ各脚柱３の上方に位置するように立設されている。
【００１５】
各支柱４は、図２の平面図（上端のキャップを取り外して示す）に示すように、外側面の中央部に上下方向を向く凹条溝５を有するほぼＣ字状断面をなし、アルミニウム合金等の押出し成形品よりなっている。上記凹条溝５の開口部には、合成樹脂製のカバー６が着脱可能に嵌着されている。
【００１６】
上記互いに対向する支柱４の対向面同士は、４個の水平かつ等寸をなす連結杆７と、天板２の中心上において互いの連結杆７の対向面同士を連結する中間連結部材８とにより、平面視十字形をなすように連結されている。
【００１７】
各連結杆７は、図３に示すように、側面視ほぼ矩形の中空断面をなし、その両面の上下部には、互いに対向する倒立Ｌ字状の係止片９とＬ字状の係止片１０とが、長手方向に全長にわたって形成されている。
【００１８】
また、中空部内の上下の対向面は、ほぼ欠円状断面のリブ１１，１１により連結され、下方のリブ１１の直下、すなわち連結杆７の下面中央には、下方が開口する上向凹条の嵌合溝１２が、長手方向に全長にわたって形成されている。なお、各連結杆７は、アルミニウム合金等の押出し成形品よりなっている。
【００１９】
図２に示すように、各連結杆７の支柱４への取付けは、支柱４の内面と連結杆７の外端との間にスペーサ１３を挟み込んだ状態で、支柱４の上端部の凹条溝５内より上下２本のボルト１４を、スペーサ１３を挿通して連結杆７の上下のリブ１１内に形成した雌ねじ（図示略）に螺合することにより、連結されている。
【００２０】
上記中間連結部材８は、図４ないし図７に拡大して示すように、上下寸法と幅寸法が、連結杆７の上下寸法及び幅寸法とほぼ等しい直方体状の基体１５と、その４側面の中央部に、平面視十字状をなすように突設された４個の取付片１６とからなっている。
【００２１】
上記基体１５の下面には、図６の底面図に示すように、十字状溝１７が形成され、また各取付片１６の下半部には、下方が開口する２個ずつの雌ねじ孔１８が設けられている。十字状溝１７は、各連結杆７と中間連結部材８とを連結したとき、連結杆７の下面の嵌合溝１２と連続するようになっている。
【００２２】
各取付片１６の上下寸法と幅寸法は、図３及び図７に示すように、各連結杆７における中空部内の内壁面と上下のリブ１１とにより囲まれた係合孔１９内に嵌合可能な寸法とされている。
【００２３】
各連結杆７の対向端部における下部のリブ１１には、下方の嵌合溝１２と上方の係合孔１９とに連通する２個の通孔２０が穿設されている。また、各連結杆７の対向端部の係合孔１９を、中間連結部材８の各取付片１６に嵌合した後、上記２個の通孔２０に下方より挿入したねじ２１を取付片１６の２個の雌ねじ孔１８に螺合することにより、各連結杆７は、平面視十字形に連結されている。
【００２４】
天板２の上面には、平面視十字状の凹溝２２が、各連結杆７の嵌合溝１２及び中間連結部材８の下面の十字状溝１７と対向するように形成されている。
【００２５】
各連結杆７の嵌合溝１２及び中間連結部材８の十字状溝１７と、天板２の十字状の凹溝２２との間には、中央部において互いに直交状に連結された２枚の仕切板２３，２３が、外端を各支柱４の内面と当接又は近接させて平面視十字状に立設されている。
【００２６】
各仕切板２３は、透明又は半透明の透光性のアクリルパネル等よりなり、それらの長手方向の中央部には、図８に示すように、上端から中央部に至る下向きスリット状の凹溝２４と、下端から中央部に至る上向きスリット状の凹溝２５とが、それぞれ形成され、両凹溝２４，２５同士を互いに嵌合することにより、２枚の仕切板２３は、中央部において直交状に連結されている。
【００２７】
このようにして仕切板２３を取付けることにより、円形をなす天板２の上面が、４個の均等な作業エリアに仕切られる。なお、各連結杆７の一方の面には、その係止片９，１０を利用して、照明器具２６をオプションで取付けることができる。
【００２８】
以上説明したように、上記実施形態においては、天板中央に支柱を立設したり、取付金具等を用いて固定したりすることなく、仕切板２３を、平面視十字状に天板２の上面に簡単かつ安定して立設することができ、仕切られた天板面には何ら障害物が露出することがない。
【００２９】
また、４本の連結杆７は、互いの対向端部が中間連結部材８により強固に連結されているため、それらの嵌合溝１２により上端部が保持されている仕切板２３の保持強度も大となる。
【００３０】
なお、上記実施形態では、円形の天板２を有するテーブル１に適用した例を示したが、例えば楕円形や長円形の天板を有するテーブルにも適用することができる。
【図面の簡単な説明】
【００３１】
【図１】本発明を適用したテーブルの斜視図である。
【図２】支柱と連結杆との連結部の平面図である。
【図３】図１のIII−III線に沿う拡大縦断側面図である。
【図４】各連結杆と中間連結部材との連結部の平面図である。
【図５】同じく側面図である。
【図６】中間連結部材の底面図である。
【図７】図５のVII−VII線の縦断側面図である。
【図８】仕切板の斜視図である。
【符号の説明】
【００３２】
１          テーブル
２          天板
３          脚柱
４          支柱
５          凹条溝
６          カバー
７          連結杆
８          中間連結部材
９，１０    係止片
１１        リブ
１２        嵌合溝
１３        スペーサ
１４        ボルト
１５        基体
１６        取付片
１７        十字状溝
１８        雌ねじ孔
１９        係合孔
２０        通孔
２１        ねじ
２２        凹溝
２３        仕切板
２４，２５  凹溝
２６        照明器具
【図１】
2005131197.tif 000003
【図２】
2005131197.tif 000004
【図３】
2005131197.tif 000005
【図４】
2005131197.tif 000006
【図５】
2005131197.tif 000007
【図６】
2005131197.tif 000008
【図７】
2005131197.tif 000009
【図８】
2005131197.tif 000010